(57)【要約】【目的】  日頃から愛用していた食器自体を流用し、かつ身体障害者が食事をしやすい身体障害者用食器支持具を提供する。【構成】  一対の平行に立設された支持柱１００Ａ、１００Ｂと、この支持柱１００Ａ、１００Ｂに設けられた複数の支持凹部１３０Ａ、１３０Ｂに嵌まり込む一対の支持アーム２１０を有する食器収納体２００とを備えており、前記支持アーム２１０が支持凹部１３０Ａ、１３０Ｂに嵌まり込んだ状態の食器収納体２００に食器７００を収納すると、食器７００、食器収納体２００及び食器７００に入れられた食材の重心が前記支持アーム２１０より下方に位置するようになっている。【選択図】      図１
0003110789.tif 000002
【実用新案登録請求の範囲】
【請求項１】
一対の平行に立設された支持柱と、この支持柱に設けられた複数の支持凹部に嵌まり込む一対の支持アームを有する食器収納体とを具備しており、前記支持アームが支持凹部に嵌まり込んだ状態の食器収納体に食器を収納した状態では、食器、食器収納体及び食器に入れられた食材の重心が前記支持アームより下方に位置することを特徴とする身体障害者用食器支持具。
【請求項２】
前記支持柱は、台座に立設されており、少なくとも一方の支持柱は他方の支持柱に対して接離移動が可能なことを特徴とする請求項１記載の身体障害者用食器支持具。
【請求項３】
前記支持柱には、伸展用支持柱が取付可能であることを特徴とする請求項１又は２記載の身体障害者用食器支持具。
【考案の詳細な説明】
【技術分野】
【０００１】
本考案は、特に手が不自由な身体障害者が食事をしやすい身体障害者用食器支持具に関する。
【背景技術】
【０００２】
この種のものとしては、実公平７−１９３２６（特許文献１）に記載された食器がある。この食器は「内部に貯留した飲食物を飲食するための食器であって、前記飲食物を貯留した状態での食器の重心よりも高い位置でかつ食器本体の左右に１つずつ設けられた被支持部と、該被支持部を支持することにより前記食器本体を所定の高さで回動自在に枢支することが可能な支持体とを含み、前記被支持部は、前記支持体に支持された状態で前記食器本体がほぼ水平となる位置に設けられ、前記食器本体は、縁部分の一部が飲食者の口で保持しやすいように外方に膨出した膨出部を有するとともに、該膨出部の左右箇所に、縁部分の外側への膨らみを抑えた膨出抑制部が形成されていることを特徴とする、食器。」のように構成されている。
【０００３】
【特許文献１】実公平７−１９３２６
【考案の開示】
【考案が解決しようとする課題】
【０００４】
しかしながら、上記の食器は、飲食物を入れる食器自体が被支持部に支持されるような構成になっているため、使用者が日頃から愛用していた食器を使用することはできない。愛着のある食器はと特別な感情移入がされているものであって、その食器でないと飲食が困難になるということもある。
【０００５】
本考案は、上記事情に鑑みて創案されたもので、日頃から愛用していた食器自体を流用し、かつ身体障害者が食事をしやすい身体障害者用食器支持具を提供することを目的としている。
【課題を解決するための手段】
【０００６】
本考案に係る身体障害者用食器支持具は、一対の平行に立設された支持柱と、この支持柱に設けられた複数の支持凹部に嵌まり込む一対の支持アームを有する食器収納体とを具備しており、前記支持アームが支持凹部に嵌まり込んだ状態の食器収納体に食器を収納した状態では、食器、食器収納体及び食器に入れられた食材の重心が前記支持アームより下方に位置するようになっている。
【考案の効果】
【０００７】
本考案に係る身体障害者用食器支持具は、食器を収納する食器収納体が支持アームで一対の支持柱に支持されるため、手をつかうことなく使用者の口の高さ位置に食器を保持することができる。このため、手の不自由な身体障害者が座ったままの自然な姿勢で食器に口を付けて食事をすることができる。そして、食器収納体等の重心は、支持アームより下方に位置しているので、食材がこぼれることはない。特に、この身体障害者用食器支持具は、食器を食器収納体に収納するようにしているので、愛用の食器をそのまま流用することができるため、愛着のある食器のように特別な感情移入がされているものをそのまま使用できるた、身体障害者のＱＯＬ（Quality Of Life)の向上に資するものとなる。
【０００８】
また、前記前記支持柱は、台座に立設されており、少なくとも一方の支持柱は他方の支持柱に対して接離移動が可能とすると、支持柱の間隔を食器の大きさに合わせることができるので、各種の食器を使用することが可能となる。
【０００９】
また、前記支持柱に伸展用支持柱が取付可能であるとすると、食器収納体を使用者の体格や障害の度合いに応じた高さにセットすることが可能となる。
【考案を実施するための最良の形態】
【００１０】
図１は本考案の実施の形態に係る身体障害者用食器支持具の概略的斜視図、図２は本考案の実施の形態に係る身体障害者用食器支持具に用いられる食器収納体の概略的斜視図、図３は本考案の実施の形態に係る身体障害者用食器支持具の使用状態を示す概略的説明図、図４は本考案の実施の形態に係る身体障害者用食器支持具に高さ調節板を取り付けた状態を示す概略的斜視図、図５は本考案の実施の形態に係る身体障害者用食器支持具に高さ調節板を取り付けるための取付ピンを示す概略的断面図である。
【００１１】
本考案の実施の形態に係る身体障害者用食器支持具は、一対の平行に立設された支持柱１００Ａ、１００Ｂと、この支持柱１００Ａ、１００Ｂに設けられた複数の支持凹部１３０Ａ、１３０Ｂに嵌まり込む一対の支持アーム２１０を有する食器収納体２００とを備えており、前記支持アーム２１０が支持凹部１３０Ａ、１３０Ｂに嵌まり込んだ状態の食器収納体２００に食器７００を収納すると、食器７００、食器収納体２００及び食器７００に入れられた食材の重心が前記支持アーム２１０より下方に位置するようになっている。
【００１２】
まず、一対の支持柱１００Ａ、１００Ｂは、略矩形状の台座３００に立設されている。この支持柱１００Ａ、１００Ｂは、台座３００に対して平行になった基端部１１０Ａ、１１０Ｂと、この基端部１１０Ａ、１１０Ｂに対して直交した柱部１２０Ａ、１２０Ｂとが一体に形成されたものである。前記柱部１２０Ａ、１２０Ｂには、所定の間隔で支持凹部１３０Ａ、１３０Ｂが上下方向に並んで形成されている。この支持凹部１３０Ａ、１３０Ｂは、柱部１２０Ａ、１２０Ｂの垂直縁部から内側に向かって切り込まれた溝であって、内側に向かって下り傾斜になっている。そして、この支持凹部１３０Ａ、１３０Ｂの最終縁部は一段と掘り下げられている。
【００１３】
また、前記基端部１１０Ａ、１１０Ｂは、支持柱１００Ａ、１００Ｂを台座３００に取り付ける部分であって、一方の支持柱１００Ａは台座３００に対してネジ等の適宜な手段で固定的に取り付けられている。また、他方の支持柱１００Ｂの基端部１１０Ｂには貫通孔（図示省略）が開設されている。この貫通孔は、台座３００に設けられた開口（図示省略）に一致するようになっている。そして、前記貫通孔と前記開口とを一致させると、両支持柱１００Ａ、１００Ｂは平行になる。さらに、前記貫通孔と前記開口とにピン１５０を押し込むと、支持柱１００Ｂが台座３００に取り付けられることになる。
【００１４】
前記開口は、１つではなく、複数個が一列に並んでいる。従って、支持柱１００Ｂをいずれの開口で取り付けるかによって、両支持柱１００Ａ、１００Ｂの間の間隔を変更することができる。すなわち、少なくとも一方の支持柱１００Ｂは他方の支持柱１００Ａに対して接離移動が可能になっているのである。
【００１５】
また、前記支持柱１００Ａ、１００Ｂの柱部１２０Ａ、１２０Ｂには、一定間隔で小さな貫通孔１４０Ａ、１４０Ｂが開設されている。この貫通孔１４０Ａ、１４０Ｂは、後述する高さ調節板４００Ａ、４００Ｂを取り付けるための取付ピン６００が貫通される部分である。なお、この貫通孔１４０Ａ、１４０Ｂは、上下方向に並んだ前記支持凹部１３０Ａ、１３０Ｂの間に開設されている。
【００１６】
一方、前記食器収納体２００は、有底筒状体であり、底部には重り（図示省略）が設置されている。また、この食器収納体２００の底部には、食器７００を固定するためのゴム等の滑らない素材からなる安定台２４０が備えつけられている。この安定台２４０と前記重りとによって、後述するように重心が支持アーム２１０より下方に位置することになる。
【００１７】
さらに、前記食器収納体２００の上端縁部には、使用者が食器７００に口を付ける際の邪魔にならないような湾曲した切欠２２０が設けられている。また、この食器収納体２００の上端縁部には、前記切欠２２０とは別に、マグカップ等の把手が入り込むための把手用切欠２３０が設けられている。
【００１８】
また、この食器収納体２００の上端縁部から若干下方に下がった箇所からは、棒状の支持アーム２１０が突出されている。この支持アーム２１０は２つあり、１８０度離れた位置から突出されている。かかる支持アーム２１０は、前記支持柱１００Ａ、１００Ｂの支持凹部１３０Ａ、１３０Ｂに嵌まり込む部分である。この支持アーム２１０が、向かい合った一対の支持柱１００Ａ、１００Ｂの前記支持凹部１３０Ａ、１３０Ｂに嵌まり込むことによって、あたかもブランコのように支持柱１００Ａ、１００Ｂの間に位置することになる。
【００１９】
このように構成された食器収納体２００は、１種類ではなく、例えばお碗を収納するための若干大きめのタイプ（図２（Ａ）参照）や、コップや湯飲みを収納するための細長いタイプ（図２（Ｂ）参照）のように複数種類が準備されている。
【００２０】
かかる食器収納体２００を構成する素材は、落下して破損するおそれのある陶器や磁器、冷たい感触のある金属等ではなく、破損しにくく洗いやすいアクリル等が適していると考えられる。
【００２１】
使用者は、使用する食器７００の大きさ、形状等に合致した食器収納体２００を選択し、前記支持柱１００Ａ、１００Ｂの間隔を選択した食器収納体２００に合わせる。
【００２２】
さらに、使用者の体格や障害の度合い等にあった高さ位置にある支持凹部１３０Ａ、１３０Ｂに食器収納体２００の支持アーム２１０を入れ込む。そして、この状態にある食器収納体２００に食材の入った食器７００を収納する。食器収納体２００に食器７００を収納した状態では、食器７００、食器収納体２００及び食器７００に入れられた食材の重心が前記支持アーム２１０より下方に位置するようになっているので、食器収納体２００がひっくり返って食材をこぼすおそれはない。
【００２３】
使用者は、この状態で図３に示すように切欠２２０の部分に口を付け、食器収納体２００を向こう側に押しやるようにして傾け、食器７００に入った食材を口中に入れる。切欠２２０の部分から口を離すと、食器収納体２００は自然ともとの状態に戻るので、食材がこぼれることはない。
【００２４】
また、使用者の体格や障害の度合い等によっては、支持柱１００Ａ、１００Ｂをより長くしなければならないことがある。この場合、図４に示すような高さ調節板４００Ａ、４００Ｂを支持柱１００Ａ、１００Ｂに対して着脱自在にしておくことが有効である。この高さ調節板４００Ａ、４００Ｂは、支持柱１００Ａ、１００Ｂの柱部１２０Ａ、１２０Ｂと同様に、複数の支持凹部４３０Ａ、４３０Ｂ及び貫通孔４４０Ａ、４４０Ｂが、支持柱１００Ａ、１００Ｂのそれと同じ間隔で上下方向に並んで形成されている。
【００２５】
前記取付ピン６００は、高さ調節板４００Ａ、４００Ｂを支持柱１００Ａ、１００Ｂに取り付けるものであって、図５に示すように、先端に軸６３０で支持された折れ曲がり部６１０があり、後端が前記貫通孔４４０Ａ、４４０Ｂ１り径大の頭部６２０となっている。そして、この取付ピン６００は図５に示す矢印ａのように折れ曲がり部６１０が曲がるようになっている。かかる取付ピン６００は、支持柱１００Ａ、１００Ｂの柱部１２０Ａ、１２０Ｂの厚さ寸法と、高さ調節板４００Ａ、４００Ｂの厚さ寸法との和より大きく設定されている。詳述すると、支持柱１００Ａ、１００Ｂの柱部１２０Ａ、１２０Ｂに高さ調節板４００Ａ、４００Ｂを合わせて、柱部１２０Ａ、１２０Ｂの貫通孔１４０Ａ、１４０Ｂと高さ調節板４００Ａ、４００Ｂの貫通孔４４０Ａ、４４０Ｂとに挿入し、前記頭部６２０が高さ調節板４００Ａ、４００Ｂに接した状態になるとき、先端の折れ曲がり部６１０が折れ曲がるような位置になるようになっている。
【００２６】
従って、２本の取付ピン６００によって１つの高さ調節板が１つの支持柱に取付可能となるので、取付ピン６００は少なくとも４本は必要になる。
【図面の簡単な説明】
【００２７】
【図１】本考案の実施の形態に係る身体障害者用食器支持具の概略的斜視図である。
【図２】本考案の実施の形態に係る身体障害者用食器支持具に用いられる食器収納体の概略的斜視図である。
【図３】本考案の実施の形態に係る身体障害者用食器支持具の使用状態を示す概略的説明図である。
【図４】本考案の実施の形態に係る身体障害者用食器支持具に高さ調節板を取り付けた状態を示す概略的斜視図である。
【図５】本考案の実施の形態に係る身体障害者用食器支持具に高さ調節板を取り付けるための取付ピンを示す概略的断面図である。
【符号の説明】
【００２８】
１００Ａ、１００Ｂ    支持柱
１３０Ａ、１３０Ｂ    支持凹部
２００                食器収納体
２１０                支持アーム
７００    食器
【図１】
0003110789.tif 000003
【図２】
0003110789.tif 000004
【図３】
0003110789.tif 000005
【図４】
0003110789.tif 000006
【図５】
0003110789.tif 000007